(57)【要約】【課題】アームを任意の位置に良好に静止させて使用することができ、また、アームの収納時には軽い力で収納させることのできるシャワー装置の提供。【解決手段】水平方向回転軸１６の左右両端に、複数の散水ノズル１３，１３を有するアーム１０，１１を設け、このアーム１０，１１を水平方向回転軸１６を介し上下方向に回動可能に構成してなるシャワー装置において、水平方向回転軸１６に、アーム１０，１１を下向きに回転させる時のみに摩擦力を発生させる摩擦機構１７を設け、この摩擦機構１７で発生される摩擦力が、アーム１０，１１の自重による下方への回転力よりも大となるように設定して、アーム１０，１１を任意の位置で静止させることができるように構成する。【選択図】　　　　　　　　図３
2004089301.tif 000002
【特許請求の範囲】
【請求項１】
水平方向回転軸の左右両端に、複数の散水ノズルを有するアームを設け、該アームを前記水平方向回転軸を介し上下方向に回動可能に構成してなるシャワー装置において、
前記水平方向回転軸に、前記アームを下向きに回転させる時のみに摩擦力を発生させる摩擦機構を設け、該摩擦機構で発生される摩擦力が、前記アームの自重による下方への回転力よりも大となるように設定して、該アームを任意の位置で静止させることができるように構成したことを特徴とするシャワー装置。
【請求項２】
前記摩擦機構に加えて、前記水平方向回転軸には弾性手段を設け、該弾性手段は、前記アームが下方へ向かって回転するほど上方へ回転させようとする復元力が大きくなるように設定されていることを特徴とする請求項１に記載のシャワー装置。
【請求項３】
前記摩擦機構は、底面が一方側へ傾斜した収納凹部を外周に１以上有し、前記水平方向回転軸に連結された回転部材と、
該回転部材が回転できるように回転部材の外周を包囲し、固定状に設けられた外郭部材と、
前記回転部材の収納凹部内に転動可能に収納されて、前記アームが下向きに回転された時に、前記収納凹部の底面と前記外郭部材の内周面間に挟まれて摩擦力を発生させるローラー部材で構成されていることを特徴とする請求項１に記載のシャワー装置。
【請求項４】
前記アームが上動され収納位置に達した時に、前記ローラー部材が節度感をもって係合される凹部あるいは凸部を、前記外郭部材の内周面に設けたことを特徴とする請求項３に記載のシャワー装置。
【請求項５】
前記ローラー部材が係合される時に、音が発生するように、前記凹部あるいは凸部に急勾配の当接面を形成したことを特徴とする請求項４に記載のシャワー装置。
【請求項６】
前記外郭部材内に、前記回転部材及びローラー部材を水密状に内装したことを特徴とする請求項３または請求項４または請求項５に記載のシャワー装置。
【請求項７】
前記回転部材の収納凹部内に、前記ローラー部材のガタつきを防ぐバネ部材を入れたことを特徴とする請求項３または請求項４または請求項５または請求項６に記載のシャワー装置。
【発明の詳細な説明】
【０００１】
【発明の属する技術分野】
この発明は、浴室内に設置されて、全身にシャワーを浴びることのできるシャワー装置に関するものである。
【０００２】
【従来の技術及び発明が解決しようとする課題】
従来、複数の散水ノズルを有するアームを備えたシャワー装置が存在し、これらのシャワー装置において、アームは収納時には浴室の壁面に添うように収納され、使用時にアームを手前に回転させるように構成されており、手前にアームを回転させて使用する時には、アームが動かないように保持する機構が必要となり、例えば、樹脂板，金属板によりブレーキを掛けるブレーキ機構を設けてアームを保持する構造が採用されているが、このようなブレーキ機構では、アームに常にブレーキ力が掛かるために、アームを壁側へ収納させる時に、重くて、使用者の負担が大きくなってしまうという問題点があった。
【０００３】
また、例えば特開平１１−３１８７４１号公報に開示されているように、弾性手段による付勢力をカム機構によって回転付勢力に変換し、アームの自重による下方への回転を減らすことで、使用者の負担を軽くするように構成したものがあるが、上方への付勢力は、アームの自重による下方への回転力よりも小さいために、任意の位置にアームを保持することが困難であり、体型や姿勢に合わせてアームを任意の位置に調節することができないという問題点があった。
【０００４】
【課題を解決するための手段】
本発明は、上記従来の問題点に鑑み案出したものであって、アームを任意の位置に良好に保持させて使用することができるとともに、アームを収納する際には軽い力で収納させることのできるシャワー装置を提供せんことを目的とし、その第１の要旨は、水平方向回転軸の左右両端に、複数の散水ノズルを有するアームを設け、該アームを前記水平方向回転軸を介し上下方向に回動可能に構成してなるシャワー装置において、前記水平方向回転軸に、前記アームを下向きに回転させる時のみに摩擦力を発生させる摩擦機構を設け、該摩擦機構で発生される摩擦力が、前記アームの自重による下方への回転力よりも大となるように設定して、該アームを任意の位置で静止させることができるように構成したことである。
【０００５】
また、第２の要旨は、前記摩擦機構に加えて、前記水平方向回転軸には弾性手段を設け、該弾性手段は、前記アームが下方へ向かって回転するほど上方へ回転させようとする復元力が大きくなるように設定されていることである。
【０００６】
また、第３の要旨は、前記摩擦機構は、底面が一方側へ傾斜した収納凹部を外周に１以上有し、前記水平方向回転軸に連結された回転部材と、該回転部材が回転できるように回転部材の外周を包囲し、固定状に設けられた外郭部材と、前記回転部材の収納凹部内に転動可能に収納されて、前記アームが下向きに回転された時に、前記収納凹部の底面と前記外郭部材の内周面間に挟まれて摩擦力を発生させるローラー部材で構成されていることである。
【０００７】
また、第４の要旨は、前記アームが上動され収納位置に達した時に、前記ローラー部材が節度感をもって係合される凹部あるいは凸部を、前記外郭部材の内周面に設けたことである。
【０００８】
また、第５の要旨は、前記ローラー部材が係合される時に、音が発生するように、前記凹部あるいは凸部に急勾配の当接面を形成したことである。
【０００９】
また、第６の要旨は、前記外郭部材内に、前記回転部材及びローラー部材を水密状に内装したことである。
【００１０】
また、第７の要旨は、前記回転部材の収納凹部内に、前記ローラー部材のガタつきを防ぐバネ部材を入れたことである。
【００１１】
【発明の実施の形態】
以下、本発明の実施例を図面に基づいて説明する。
図１は、浴室内に設置されたシャワー装置の収納状態の斜視構成図であり、また図２は、使用状態の側面構成図である。
【００１２】
図において、シャワー装置１は、水栓金具を内装した水栓金具部６の前面に、温度調節ハンドル２，シャワー開閉ハンドル３，切替開閉ハンドル４が設けられており、中央部には下向きに吐水口５が設けられている。
この水栓金具部６の左右両側から、それぞれ左下アーム７、及び右下アーム８が下方へ垂設され、この左右の下アーム７，８は浴室の壁面Ｗに固定状に取り付けられており、下アーム７，８間の下方側には洗面器台９が壁面Ｗに固設されている。
【００１３】
また、水栓金具部６の上方には、左右に左上アーム１０と右上アーム１１がそれぞれ上下方向に回動可能に設けられて、壁面Ｗに添うように立設させて収納できるように構成されており、左上アーム１０と右上アーム１１間の壁面Ｗに、鏡１２が配置されている。
なお、４本のアーム７，８，１０，１１には、それぞれ複数の散水ノズル１３，１３，１３が設けられており、各散水ノズル１３，１３，１３からシャワー水を噴出させることができるように構成されている。
【００１４】
図１の収納状態から、図２のように、左上アーム１０及び右上アーム１１を使用者が下方側へ回転させ、自分の体型，姿勢に合わせて任意の位置に保持させて、散水ノズル１３，１３，１３からシャワー水を噴出させて使用することができるものである。
【００１５】
カバー材１４を取り外した図３の斜視図で示すように、左上アーム１０，右上アーム１１を任意の位置で静止させるために、摩擦機構１７とアシストバネ（弾性手段）１８が設けられている。
即ち、カバー材１４内には、水平方向回転軸１６が横設されており、この水平方向回転軸１６の左右両端側に左上アーム１０、及び右上アーム１１の下端が連結されたものとなっており、この水平方向回転軸１６は、壁面Ｗに固定されたフレーム１５に回転可能に設けられて、水平方向回転軸１６に、摩擦機構１７とアシストバネ１８が取り付けられている。
【００１６】
摩擦機構１７とアシストバネ１８の部分の拡大図を図４に示し、更には図５に拡大分解構成図を示す。
壁面Ｗに固定されたフレーム１５の左右両端側には、前方側へ突出して軸受部１５ａ，１５ａが形成されており、またフレーム１５の中央部には、前方側へ突出して取付板部１５ｂが形成され、この取付板部１５ｂに摩擦機構１７が取り付けられ、摩擦機構１７の右側方にアシストバネ１８が配置される。
【００１７】
図５のように、右側から水平方向回転軸１６を軸受部１５ａ内に通して、水平方向回転軸１６をアシストバネ１８及び摩擦機構１７内に通し、左側の軸受部１５ａに通して組み付けることができ、この場合に、摩擦機構１７とアシストバネ１８間にはバネプレート１９が設けられて、水平方向回転軸１６に形成されたピン孔１６ａ内に、ピン２２を差し込んで、このピン２２を、後述する摩擦機構１７の軸部２７ａに形成されたピン孔２７ｂ内に差し込んで、摩擦機構１７の回転部材２７と水平方向回転軸１６を連結させるのであり、また、水平方向回転軸１６には案内スリーブ２０が固定され、更にその右側にＣリング２１が取り付けられて連結が完了し、この時に、アシストバネ１８の一端側は、フレーム１５の開口１５ｃ内に固定され、アシストバネ１８の他端側は、案内スリーブ２０に固定状に取り付けられる。
【００１８】
水平方向回転軸１６の左右両端に連結された左上アーム１０，右上アーム１１が、収納状態から下向きに使用状態へと回転される際には、摩擦機構１７が、アーム１０，１１の自重による下方への回転力よりも大なる摩擦力を発生させ、アーム１０，１１が自重で下方側へ回転することを良好に防いで、任意の位置でアーム１０，１１が静止されるように構成されている。
なお、その場合に、アシストバネ１８は、下方への回転に伴い次第に縮んだ状態へ移行して、徐々に復元力（上方への付勢力）を発生させていくように構成されている。
【００１９】
従って、アーム１０，１１が壁面Ｗに対し略水平方向に突出する状態では、摩擦機構１７が最も強い摩擦力を発生させ、またアシストバネ１８が最も強い復元力を発生させて、アーム１０，１１の自重による下方側への移動を阻止して、アーム１０，１１は静止状態に保持され、散水ノズル１３からシャワー水が噴出されて、振動等が生じても良好に任意の位置にアーム１０，１１が保持されるように構成されている。
【００２０】
図６には、前記摩擦機構１７の構成部材の分解斜視図を示しているが、摩擦機構１７は、左ケース板２５と、円筒状の外郭部材２６と、この外郭部材２６内に回転可能に嵌め込まれる回転部材２７と、右側の右ケース板３１を備え、カラー３２，３２内にネジを通して左右のケース板２５，３１間に、回転部材２７を収納した状態で外郭部材２６が組み付けられるものである。
回転部材２７の外周には、間隔をおいて、例えば４個の収納凹部２８，２８，２８，２８が凹み状に形成されており、各収納凹部２８内には、ローラー部材２９と樹脂バネ３０がそれぞれ収納されるものである。
なお、回転部材２７から一体状に突出した軸部２７ａが、水平方向回転軸１６にピン２２を介して連結固定されるものである。
【００２１】
なお、左ケース板２５と外郭部材２６とカラー３２を一体化させた摩擦機構１７の変更例において、その組み付け手順を図７〜図１０に示し説明する。
図７では、外郭部材２６内に回転部材２７を組み付ける前の分解図を示しており、図８のように、外郭部材２６内に回転部材２７を収納させた後に、回転部材２７の外周に凹み状に形成されている各収納凹部２８内に、ローラー部材２９をそれぞれ挿入させ、さらに図９のように、各収納凹部２８内にそれぞれ樹脂バネ３０を挿入して、樹脂バネ３０でローラー部材２９のガタつきを防いだ状態にする。この状態で図１０に示すように、ネジ３４，３４，３４で右ケース板３１を締め付けて、摩擦機構１７を組み立てる。
【００２２】
なお、内部に組み込まれた回転部材２７，ローラー部材２９，樹脂バネ３０に水が浸入しないように、オーリングを用いて水密状に組み立てる。
即ち、図１１の概略断面構成図で示すように、オーリングは３個使用されて、完全な水密構造に組み立てられるのである。
図１１では、左右のケース板２５，３１と回転部材２７間は、左右のオーリング３５ａ，３５ｂで水密性が確保され、右ケース板３１と外郭部材３６間は、オーリング３５ｃで水密性が確保される。
【００２３】
なお、図１２は、組付状態における摩擦機構１７の内部断面拡大構成図を示しているが、回転部材２７に凹み状に形成された４個の収納凹部２８，２８，２８の各底面２８ａは、それぞれ傾斜状に形成されており、図では収納凹部２８内の一方側に樹脂バネ３０が配置されて、ローラー部材２９を他方側の壁面に向かって付勢しており、この他方側の壁面に向かって、底面２８ａは傾斜状に形成されている。
即ち、各収納凹部２８は、樹脂バネ３０が入れられる一方側が最も深く凹んでおり、他方側に向かって次第に凹みが浅くなるように、底面２８ａが傾斜されている。
【００２４】
このような構造の摩擦機構１７においては、上アーム１０，１１を収納状態から使用状態へ回転させる時、即ち下方側へアーム１０，１１を回転させる時には、水平方向回転軸１６と共に、フレーム１５に固定された外郭部材２６内で、回転部材２７が反時計方向に回転することとなり、この下向きの反時計方向の回転が加わると、各収納凹部２８内に収納されているローラー部材２９は、傾斜状の底面２８ａに沿って、収納凹部２８内の浅い凹みとなっている他方側の壁面に向かって転動され、外郭部材２６の内周面間に挟み付けられてゆき、次第に摩擦力を発生させることとなり、アーム１０，１１が下方へ回転されるほど、ローラー部材２９は強く収納凹部２８の底面２８ａと外郭部材２６の内周面に挟み付けられて、摩擦力を増大してゆくこととなる。
【００２５】
即ち、この摩擦機構１７は、一方向クラッチの作用を成すものであり、アーム１０，１１を下方側へ回転させる際のみに摩擦力が発生する。
なお、アーム１０，１１を上方側へ、即ち収納位置へ向かって時計方向に回転させる時には、各ローラー部材２９は収納凹部２８内の深い凹み側へ転動され、外郭部材２６の内周面との間に摩擦力が発生することがなく、軽い力でアーム１０，１１を上方側へ回転させることができる。
なお、本例ではアーム１０，１１を下向きに回転させる時に発生される摩擦力が、アーム１０，１１の自重による下方への回転力よりも大となるように設定してあり、アーム１０，１１が自重で回転することがなく、アーム１０，１１を好みに合わせて任意の位置で静止させることができるように構成されている。
【００２６】
なお、図１２に示す状態は、アーム１０，１１の収納位置における断面図であり、このアーム１０，１１の収納状態で、外郭部材２６の内周面に形成された凹部２６ａ内にローラー部材２９が嵌まり込むように設定されている。即ち、アーム１０，１１を上方へ回転させて収納位置に達すると、ローラー部材２９は凹部２６ａに係合し、この係合時に良好な節度感が得られて、収納位置に達したことを良好に確認することができるものとなる。
【００２７】
なお、更に図１３の拡大断面図で示すように、この外郭部材２６の内周に形成された凹部２６ａを、急勾配面としておけば、アーム１０，１１が収納位置に達した時に、ローラー部材２９が凹部２６ａ内に嵌まり込むと、カチッという音を発し、係合した瞬間のクリック感が得られて、収納位置に収納されたことを良好に確認することができるものとなる。
なお、ローラー部材２９が凹部２６ａ内に嵌まり込んだ状態では、外力が加わらない限り、アーム１０，１１は収納状態に維持されるものであり、使用者がアーム１０，１１を下方へ回転させようとして力を加えた時に、凹部２６ａからローラー２９が抜脱し、この場合にも、良好な節度感が得られるものである。
【００２８】
なお、図１４の拡大図で示すように、凹部２６ａに代えて、或いは凹部２６ａとともに、外郭部材２６の内周に、回転部材２７側へ突出する凸部２６ｂを形成させても良く、この場合にも、使用状態からアーム１０，１１を上動させて、収納位置に達した時に、ローラー部材２９が凸部２６ｂの当接面Ｐを乗り越えて、カチッと音を発して係合状態となり、良好な節度感が得られ、しかもアーム１０，１１は確実に収納位置で立設状態に維持されるものとなる。
【００２９】
【発明の効果】
本発明は、水平方向回転軸の左右両端に、複数の散水ノズルを有するアームを設け、アームを水平方向回転軸を介し上下方向に回動可能に構成してなるシャワー装置において、水平方向回転軸に、アームを下向きに回転させる時のみに摩擦力を発生させる摩擦機構を設け、摩擦機構で発生される摩擦力が、アームの自重による下方への回転力よりも大となるように設定して、アームを任意の位置で静止させることができるように構成したことにより、アームが自重で下方側へ回転することがなく、摩擦機構を介して良好にアームを任意の位置に静止させることができ、使用者の体格や好みに合わせて散水ノズルの位置を設定して、散水ノズルからシャワー水を噴出させて、良好に使用することができるものとなる。
また、アームを収納状態に戻す時には、摩擦力は発生しないため、使用者の負担を減らして軽い力でアームを収納させることができるものとなる。
【００３０】
また、摩擦機構に加えて、水平方向回転軸には弾性手段を設け、弾性手段は、アームが下方へ向かって回転するほど上方へ回転させようとする復元力が大きくなるように設定されていることにより、アームを下向きに回転させてゆくほど、弾性手段に力が加わり、摩擦機構に集中する力を軽減することができる。
また、摩擦機構の摩擦力の設定をある程度弱くして、楽にアームを動かせるようにすることができ、アームをより軽い力で操作できるものとなる。
また、摩擦機構と弾性手段の何れか一方が壊れた場合でも、アームが急激に回転することがなく、安全性が高められるものとなる。
【００３１】
また、摩擦機構は、底面が一方側へ傾斜した収納凹部を外周に１以上有し、水平方向回転軸に連結された回転部材と、回転部材が回転できるように回転部材の外周を包囲し、固定状に設けられた外郭部材と、回転部材の収納凹部内に転動可能に収納されて、アームが下向きに回転された時に、収納凹部の底面と外郭部材の内周面間に挟まれて摩擦力を発生させるローラー部材で構成されていることにより、アームを下向きに回転させる時には、ローラー部材が収納部の底面と外郭部材の内周面間に挟まれて、摩擦力を発生させることにより、アームを任意の位置で良好に静止させることができ、またアームを上に回転させて戻す時には、摩擦力が発生しないため、軽い力でアームを収納させることができるものとなり、アームの操作が容易なものとなる。
また、摩擦機構に水平方向回転軸を組み付ける際に、軸芯がズレているような場合にも、ローラー部材が収納凹部内で移動できて、軸芯のズレを吸収することができ、摩擦機構の組み立ても容易なものとなる。
【００３２】
また、アームが上動され収納位置に達した時に、ローラー部材が節度感をもって係合される凹部あるいは凸部を、外郭部材の内周面に設けたことにより、アームの収納時に、凹部または凸部にローラー部材が係合されるように設定することで、アームの収納時に良好な節度感が得られて、使用者はアームが収納されたことを良好に認識できるものとなる。
【００３３】
また、ローラー部材が係合される時に、音が発生するように、凹部あるいは凸部に急勾配の当接面を形成したことにより、アームの収納時には音が発生するので、確実に収納位置であることを認識し易くなり、使用勝手が良好なものとなる。
【００３４】
また、外郭部材内に、回転部材及びローラー部材を水密状に内装したことにより、水や洗剤，ゴミ等が内部に入らないために、故障し難く、耐久性が高められ、しかも摩擦機構の摩擦力を一定に維持できる効果を有する。
【００３５】
また、回転部材の収納凹部内に、ローラー部材のガタつきを防ぐバネ部材を入れたことにより、ローラー部材が収納凹部内でガタついて異音を発することがなく、摩擦機構の作動がスムーズなものとなる。
【図面の簡単な説明】
【図１】シャワー装置のアームを収納した状態の斜視構成図である。
【図２】アームを下向きに回転させた使用状態の側面構成図である。
【図３】収納状態におけるシャワー装置のカバーを外して内部機構を露出させた状態の斜視構成図である。
【図４】摩擦機構とアシストバネ周辺の拡大構成図である。
【図５】摩擦機構とアシストバネと水平方向回転軸の組付状態の分解構成図である。
【図６】摩擦機構の構成部材の分解斜視図である。
【図７】摩擦機構の外郭部材内に回転部材を組み付ける作業状態図である。
【図８】更に、回転部材の収納部内にローラー部材を組み付ける作業状態図である。
【図９】更に、収納部内に樹脂バネを挿着させる作業状態図である。
【図１０】更に、ネジでケース板を一体化させる作業状態図である。
【図１１】摩擦機構の水密構造を説明する概略断面構成図である。
【図１２】アームの収納状態における摩擦機構の断面拡大構成図である。
【図１３】外郭部材の内周面に形成された凹部の変更例を示す摩擦機構の要部断面拡大構成図である。
【図１４】外郭部材の内周面に凸部を形成させた変更例を示す摩擦機構の要部断面拡大構成図である。
【符号の説明】
１　　シャワー装置
７，８　　下アーム
１０　　左上アーム
１１　　右上アーム
１３　　散水ノズル
１５　　フレーム
１５ａ　　軸受部
１６　　水平方向回転軸
１６ａ　　ピン孔
１７　　摩擦機構
１８　　アシストバネ（弾性手段）
２５，３１　　ケース板
２６　　外郭部材
２６ａ　　凹部
２６ｂ　　凸部
２７　　回転部材
２７ａ　　軸部
２７ｂ　　ピン孔
２８　　収納凹部
２８ａ　　底面
２９　　ローラー部材
３０　　樹脂バネ
３４　　ネジ
３５ａ，３５ｂ，３５ｃ　　オーリング
Ｗ　　壁面
【図１】
2004089301.tif 000003
【図２】
2004089301.tif 000004
【図３】
2004089301.tif 000005
【図４】
2004089301.tif 000006
【図５】
2004089301.tif 000007
【図６】
2004089301.tif 000008
【図７】
2004089301.tif 000009
【図８】
2004089301.tif 000010
【図９】
2004089301.tif 000011
【図１０】
2004089301.tif 000012
【図１１】
2004089301.tif 000013
【図１２】
2004089301.tif 000014
【図１３】
2004089301.tif 000015
【図１４】
2004089301.tif 000016